(57)【特許請求の範囲】
【請求項１】
樹脂製インナパネル(3)と樹脂製アウタパネル(5)との間に形成された第１内部空間(15)に、車両に搭載された電波発信機から車内に発信される電波の位相を変化させる導電性シート材(23)と基材(25)との積層体からなる第１マット(31)が配置され、
上記アウタパネル(5)には、上記第１内部空間(15)と車両外側とを連通する貫通孔(17)が形成され、
上記インナパネル(3)とアウタパネル(5)との間には、上記貫通孔(17)周りを包囲するように上記インナパネル(3)とアウタパネル(5)とが接着材(19)で互いに一体に接合された接着部(21)が形成され、該接着部(21)によって上記インナパネル(3)とアウタパネル(5)とは水密に接着され、少なくとも上記接着部(21)によって包囲される内部領域(15a)に対応するインナパネル(3)の車両内側には、該インナパネル(3)との間に第２内部空間(35)が形成されるように樹脂製のカバー(33)が取り付けられ、
上記第１マット(31)は、少なくとも上記内部領域(15a)に対応して開口部(29)が形成された環状形状をなして上記第１内部空間(15)における上記接着部(21)外方の外部領域(15b)に配置され、
上記第２内部空間(35)には、導電性シート材(23)と基材(25)との積層体からなる第２マット(37)が少なくとも上記内部領域(15a)に対応するように配置されていることを特徴とする車両のドア構造。
【請求項２】
請求項１に記載の車両のドア構造において、
上記カバー(33)内面には上記第２マット(37)が樹脂製の吸音マット(39)で覆われて配置され、該吸音マット(39)の外周縁部が上記カバー(33)内面に溶着されていることを特徴とする車両のドア構造。
【請求項３】
請求項１又は２に記載の車両のドア構造において、
上記第１マット(31)の開口部(29)は、マット素材(27)を環状に切断することで形成され、
上記第２マット(37)は、上記マット素材(27)の切断マット片で形成されていることを特徴とする車両のドア構造。
【発明の詳細な説明】
【技術分野】
【０００１】
この発明は、車両のドア構造の改良に関し、詳しくは、車両に搭載された電波発信機から車内に発信される電波が車外の人や動物等を誤検知しないようにする対策に関するものである。
【背景技術】
【０００２】
近年、自動車においては、運転手が鍵をかけて車両から離れている間に、車の盗難や車上荒しに遭うなどといった被害が後を絶たない。そのため、車両に電波発信機を搭載し、車内に不審者が侵入して上記電波発信機から発信される電波を遮ると、例えば警報器が作動して警報音を発生させるなどして運転手や周囲にいる人に知らせるようにした盗難防止対策が施されている。
【０００３】
しかし、車体が樹脂製の場合には、電波発信機から発信された電波が車体を通り抜け易く、車外に出た電波を車外の人や動物等が遮ると誤検知して警報器等の機器が誤作動することになる。
【０００４】
そこで、特許文献１には、車両のドア構造として、リヤシート後方のリヤパーセルパネルとパーセルトリムとの間に配線されたハーネスをプロテクタで覆い、ハーネスから発生した電波を上記プロテクタで遮断することにより、リヤウインドガラスに設けられたアンテナの受信感度に上記電波が悪影響を及ぼさないようにした車両のドア構造が開示されている。
【特許文献１】特開平１０−４５０３６号公報（段落０００６欄、０００７欄、図３）
【発明の開示】
【発明が解決しようとする課題】
【０００５】
ところで、ドアの樹脂製インナパネルと樹脂製アウタパネルとの間に形成された内部空間に電波の位相を変化させる導電性シート材を配置することによって、電波発信機から発信された電波が車外の人や動物等を誤検知して警報器等の機器が誤作動するのを防止することが考えられる。このようなドア構造において、アウタパネルにドア操作レバーやランプ等を取り付けるための貫通孔を形成すると、上記貫通孔から雨水や洗車水が内部空間に浸入して上記マットを濡らしてしまい、該マットの機能の低下を招く。そこで、インナパネルとアウタパネルとの間を上記貫通孔周りでシールして内部空間への雨水や洗車水の浸入を防止しようとすると、インナパネルとアウタパネルとの間に導電性シート材が存在しているのでインナパネルとアウタパネルとを直接接合することができない。したがってインナパネルとアウタパネルとの間のシール性が不十分となることが問題となる。
【０００６】
この発明はかかる点に鑑みてなされたものであり、車体を通り抜けた電波が車外の人や動物等を誤検知しないようにするとともに、インナパネルとアウタパネルとの間のシール性を確保することを目的とする。
【課題を解決するための手段】
【０００７】
上記の目的を達成するため、この発明は、貫通孔周りのパネル構造及び導電性シート材の配置に工夫を凝らしたことを特徴とする。
【０００８】
具体的には、請求項１に記載の発明は、樹脂製インナパネルと樹脂製アウタパネルとの間に形成された第１内部空間に、車両に搭載された電波発信機から車内に発信される電波の位相を変化させる導電性シート材と基材との積層体からなる第１マットが配置され、上記アウタパネルには、上記第１内部空間と車両外側とを連通する貫通孔が形成され、上記インナパネルとアウタパネルとの間には、上記貫通孔周りを包囲するように上記インナパネルとアウタパネルとが接着材で互いに一体に接合された接着部が形成され、該接着部によって上記インナパネルとアウタパネルとは水密に接着され、少なくとも上記接着部によって包囲される内部領域に対応するインナパネルの車両内側には、該インナパネルとの間に第２内部空間が形成されるように樹脂製のカバーが取り付けられ、上記第１マットは、少なくとも上記内部領域に対応して開口部が形成された環状形状をなして上記第１内部空間における上記接着部外方の外部領域に配置され、上記第２内部空間には、導電性シート材と基材との積層体からなる第２マットが少なくとも上記内部領域に対応するように配置されていることを特徴とする。
【０００９】
請求項２に記載の発明は、請求項１に記載の発明において、上記カバー内面には上記第２マットが樹脂製の吸音マットで覆われて配置され、該吸音マットの外周縁部が上記カバー内面に溶着されていることを特徴とする。
【００１０】
請求項３に記載の発明は、請求項１又は２に記載の発明において、上記第１マットの開口部は、マット素材を環状に切断することで形成され、上記第２マットは、上記マット素材の切断マット片で形成されていることを特徴とする。
【発明の効果】
【００１１】
請求項１に係る発明によれば、電波発信機から車内に発信される電波が導電性シート材を通過することで位相が変化するので、上記電波が車体を通り抜けても、車外の人や動物等を誤検知するのを防止することができ、警報器等の機器が誤作動することがない。さらに、アウタパネルの貫通孔周りを包囲するように接着部によりアウタパネルとインナパネルとをこれらパネル間に導電性シート材を有するマットを介在させることなく接着しているため、上記貫通孔から浸入する雨水や洗車水が第１内部空間における外部領域に到達することがなく、上記第１内部空間における外部領域に配置されている第１マットやリヤワイパーモータ等の電装機器を濡らすことがなく、また、インナパネルとアウタパネルとを上記貫通孔周りで確実に接着することができる。
【００１２】
請求項２に係る発明によれば、吸音マットをカバー内面に配置するだけで、同時に上記第２マットもカバー内面に配置することができるので、第２マット及び吸音マットをそれぞれ別々にカバー内面に配置する場合に比べて取付工数を削減することができる。
【００１３】
請求項３に係る発明によれば、マット素材に開口部を形成して第１マットとして使用するために切断し、この切断した切断マット片を第２マットとして使用することでマット素材を無駄なく使用することができる。
【発明を実施するための最良の形態】
【００１４】
以下、この発明の実施形態について図面に基づいて説明する。
【００１５】
（実施形態）
図１は車両の車体の一部を構成するバックドア１を示し、この発明の実施形態に係るドア構造が上記バックドア１に適用されている。このバックドア１は、図２にも示すように、インナパネル３と、該インナパネル３の外側に配置されたアウタパネル５とが、各々の外縁部同士を接着材１９により互いに一体に接合されて構成されている。これらインナパネル３及びアウタパネル５はともに樹脂材で成形されている。
【００１６】
上記アウタパネル５には略矩形のウインド開口部７が形成され、該ウインド開口部７を覆うようにアウタパネル５にウインドガラス９が接着されている。上記アウタパネル５の車幅方向中央部には、略矩形のライセンスプレート収容部１１が車体内側に凹陥するように形成されている。図１中、１３はバックドア１を車体後部の開口部上端縁（図示せず）に下開き可能に枢支するヒンジの取付部である。
【００１７】
上記インナパネル３とアウタパネル５との間には、第１内部空間１５が形成されている。上記アウタパネル５のライセンスプレート収容部１１の上端中央部分には、車両外側と上記第１内部空間１５とを車両上下方向に連通する貫通孔１７が形成されている。該貫通孔１７は、ドア操作レバーやランプ等（図示せず）を取り付けるためのものである。上記インナパネル３とアウタパネル５との間には、上記貫通孔１７を包囲するように上記インナパネル３とアウタパネル５とが接着材１９で互いに一体に接合された接着部２１が形成され、上記接着部２１によって上記インナパネル３とアウタパネル５とは水密に接着されている。具体的には、上記第１内部空間１５の接着部２１によって包囲される領域を内部領域１５ａとし、上記第１内部空間１５における上記接着部２１外方を外部領域１５ｂとして、上記貫通孔１７から浸入する雨水や洗車水は上記接着部２１に遮られて第１内部空間１５における外部領域１５ｂに到達することがないようになっている。
【００１８】
上記第１内部空間１５には、図２に拡大して示すように、車両に搭載された電波発信機から車内に発信される電波の位相を変化させる導電性シート材２３と基材２５との積層体からなる第１マット３１が配置されている。具体的には、該第１マット３１は上記第１内部空間１５の内部領域１５ａ及びその下方領域に対応する開口部２９が形成された環状形状をなして（後述の図３参照）、上記第１内部空間１５の外部領域１５ｂに、上記ライセンスプレート収容部１１を囲むように配置されている。
【００１９】
上記第１マット３１を構成する上記導電性シート材２３は、車両に搭載された電波発信機（図示せず）から車内に発信される電波が車外へ通り抜ける際、この通り抜けた電波の位相が上記電波発信機から発信された電波の位相と異なった位相となるように位相を変化させるためのものである。この車外に通り抜ける電波の位相は、車内に搭載された電波検知センサー（図示せず）による検知不能な位相に設定される。つまり、導電性シート材２３は、電波発信機から発信された車内の電波が人の車内への侵入等によって遮られたときには、これを電波検知センサーが検知するが、車外へ通り抜けた電波が車外で遮られても電波検知センサーがこれを検知しないような電波の位相に変化させることができるものである。この導電性シート材２３としては、アルミ箔や銅箔等であるが、軽量で、かつ製品の製造及び設置作業が容易なアルミ箔を採用するのが望ましい。上記基材２５は、導電性シート材２３が薄くて不安定であるため、導電性シート材２３を保持する役割を果たし、材質としては、発泡ウレタンや段ボール或いはフェルト等の軽量材を用いるのが望ましい。また、このように構成された第１マット３１は、アウタパネル５側に導電性シート材２３を、インナパネル３側に基材２５を向けた状態でインナパネル３に形成されたリブ、ボス等（図示せず）によって保持されている。第１マット３１をこのような向きに設定しているが、逆であってもよい。
【００２０】
また、インナパネル３の車両内側、すなわち、上記ライセンスプレート収容部１１の裏面側には、樹脂材で成形されたカバー３３が取り付けられており、該カバー３３とインナパネル３との間には、第２内部空間３５が形成されている。上記カバー３３は、上記第１内部空間１５の内部領域１５ａ及び該内部領域１５ａより下方の一部領域に対応している。このカバー３３下端はインナパネル３の車幅方向に複数箇所形成されたスリット３ａに嵌めこまれ、上端はインナパネル３に着脱可能に取付けられている。
【００２１】
上記第２内部空間３５における上記カバー３３内面には、導電性シート材２３と基材２５との積層体からなり、上記第１マット３１と同様に構成された第２マット３７が、図２に拡大して示すように、インナパネル３側に導電性シート材２３を、カバー３３側に基材２５を向けた状態で上記内部領域１５ａ及び該内部領域１５ａより下方の一部領域に対応するように、樹脂製の吸音マット３９で覆われて配置され、該吸音マット３９の外周縁部を上記カバー３３内面に熱溶着することによって上記吸音マット３９及び第２マット３７がカバー３３に接合保持されている。なお、基材２５をインナパネル３側に、導電性シート材２３をカバー３３側に向けた状態に配置してもよい。ここで、第２マット３７をカバー３３と吸音マット３９との間に挟持したのは、吸音マット３９は、樹脂製であるため、樹脂製のカバー３３に熱溶着が可能であるが、吸音マット３９を第２マット３７とカバー３３との間に挟持して第２マット３７をカバー３３に溶着するようにした場合、第２マット３７には、導電性シート材２３が積層されているため、第２マット３７をカバー３３に熱溶着できないからである。
【００２２】
上記吸音マット３９は、吸音材単体からなり、その材質としては、吸音効果を有する発泡ウレタンやフェルト、シンサレート（住友スリーエム株式会社製、商品名）などの多孔質軽量材が適している。
【００２３】
上記第１マット３１及び第２マット３７は、図３に示すように、導電性シート材２３を基材２５の一側面に付着させた積層体（図３（ｂ）参照）からなるマット素材２７を環状に切断することで（図３（ａ）仮想線参照）、開口部２９が形成された第１マット３１が得られ、一方上記マット素材２７を環状に切断した切断マット片が第２マット３７である。
【００２４】
したがって、この実施形態では、車両に搭載された電波発信機から車内に発信される電波が導電性シート材２３を通過することで位相が変化するので、上記電波が車体を通り抜けても、車外の人や動物等を誤検知するのを防止することができ、警報器等の機器が誤作動することがない。
【００２５】
さらに、アウタパネル５の貫通孔１７周りを包囲するように接着部２１によりアウタパネル５とインナパネル３とをこれらパネル３，５間に導電性シート材２３を有するマットを介在させることなく接着しているため、上記貫通孔１７から浸入する雨水や洗車水が第１内部空間１５における外部領域１５ｂに到達することがなく、上記第１内部空間１５における外部領域１５ｂに配置されている第１マット３１やリヤワイパーモータ（図示せず）等の電装機器を濡らすことがなく、また、インナパネル３とアウタパネル５とを上記貫通孔１７周りで確実に接着することができる。
【００２６】
また、吸音マット３９の外周縁部を上記カバー３３内面に熱溶着して配置するだけで、同時に上記第２マット３７もカバー３３内面に配置することができるので、別々に配置する場合に比べて取付工数を削減することができる。
【００２７】
さらに、マット素材２７に開口部２９を形成して第１マット３１として使用するために切断し、この切断した切断マット片を第２マット３７として使用することでマット素材２７を無駄なく使用することができる。
【００２８】
さらにまた、導電性シート材２３として軽くて薄いアルミ箔を用いれば、マット素材２７を製造したり、該マット素材２７から第１マット３１及び第２マット３７を作成したり、またこれらを自動車に配置する作業を容易に行うことができるとともに、安価なドア構造とすることができる。
【００２９】
なお、本実施形態では、第１マット３１の開口部２９を内部領域１５ａ及び該内部領域１５ａより下方の外部領域１５ｂの一部に対応するように形成したが、該外部領域１５ｂのみに対応するように開口部２９を形成してもよい。また、本実施形態では、バックドア１について説明したが、インナパネル３とアウタパネル５とを共に樹脂材で成形した車両のサイドドアに適用することも可能である。
【産業上の利用可能性】
【００３０】
この発明は、車両に搭載された電波発信機から車内に発信される電波が車外の人や動物等を誤検知しないようにする車両のドア構造について有用である。
【図面の簡単な説明】
【００３１】
【図１】実施形態に係るバックドアの斜視図である。
【図２】図１のＡ−Ａ線における断面図及び部分拡大図である。
【図３】（ａ）は実施形態において、マット素材から第１マット及び第２マットを得る説明図、（ｂ）は図３（ａ）のＢ−Ｂ線における断面図である。
【符号の説明】
【００３２】
１      バックドア 
３      インナパネル 
５      アウタパネル 
１５      第１内部空間 
１５ａ    内部領域 
１５ｂ    外部領域 
１７      貫通孔 
１９ 接着材
２１      接着部 
２３      導電性シート材 
２５      基材 
２７      マット素材 
２９      開口部 
３１      第１マット 
３３      カバー 
３５      第２内部空間 
３７      第２マット 
３９      吸音マット 
【図１】
0004785571.tif 000002
【図２】
0004785571.tif 000003
【図３】
0004785571.tif 000004